(57)【要約】【課題】  縦置き状態での画像読取装置のボタン操作を容易にするための縦置き状態に保持しておくスタンドと、このスタンド部材を備えた画像読取装置を提供する。【解決手段】  原稿台ガラスの下を走査するた走査体と、走査体の移動を案内する案内手段と、走査体の駆動源と、駆動力を伝達するための駆動伝達手段と、イメージセンサと駆動源を制御するためのコントロールボードを有し、原稿台ガラス上に載置した原稿上の画像を、走査し読み取る画像読取装置とスタンド部材に電気的に接続するコネクタと、スタンド部材側にそのコネクタを通じて画像読取装置の操作が可能な少なくとも１つのボタンが搭載されていることを特徴とする画像読取装置およびスタンド部材。【選択図】        図１
2006165994.tif 000002
【特許請求の範囲】
【請求項１】
原稿台ガラスの下をこれと平行に走査するイメージセンサを搭載した走査体と、走査体の移動を案内する案内手段と、該走査体を駆動する駆動源と、該駆動源の駆動力を伝達するための駆動伝達手段と、該イメージセンサと該駆動源を制御するためのコントロールボードを有し、原稿台ガラス上に載置した原稿上の画像を、走査し読み取る画像読取装置であって、
前記画像読取装置を縦に置いてそれを保持するための前記画像読取装置から独立したスタンド部材と、前記画像読取装置とスタンド部材に電気的に接続するコネクタと、スタンド部材側にそのコネクタを通じて画像読取装置の操作が可能な少なくとも１つのボタンが搭載されていることを特徴とする画像読取装置。
【請求項２】
原稿台ガラスの下をこれと平行に走査するイメージセンサを搭載した走査体と、走査体の移動を案内する案内手段と、該走査体を駆動する駆動源と、該駆動源の駆動力を伝達するための駆動伝達手段と、該イメージセンサと該駆動源を制御するためのコントロールボードを有し、原稿台ガラス上に載置した原稿上の画像を、走査し読み取る画像読取装置を縦に置いてそれを保持するための前記画像読取装置から独立した画像読取装置用スタンドであって、
前記画像読取装置と前記スタンドに電気的に接続するコネクタと、前記スタンド側にそのコネクタを通じて画像読取装置の操作が可能な少なくとも１つのボタンが搭載されていることを特徴とする画像読取装置用スタンド。
【発明の詳細な説明】
【技術分野】
【０００１】
本発明は、画像を読み取る画像読取装置を縦置き状態に保持しておくスタンド部材と、このスタンド部材を備えた画像読取装置とに関する。
【背景技術】
【０００２】
従来、コンピュータ等の情報処理装置と共に使用される画像読取装置の一例として、机上用のスキャナがある（例えば、特許文献１参照）。
【０００３】
図６は、従来のスキャナ２０９の概略構成を示す図であり、（ａ）は平面図、（ｂ）は断面正面図、（ｃ）は左側面図である。
【０００４】
原稿台ガラス２００に置かれた読取原稿Ｐの画像は、読取ユニット２０１が原稿台ガラス２００の下で走査することにより読取られるようになっている。読取ユニット２０１は、モータ２０２の正逆回転により原稿台ガラス２００の下を往復走査するようになっている。
【０００５】
スキャナ２０９の本体２０８は、原稿台ガラス２００が固定支持された上カバー２０４と、読取ユニット２０１が設けられた下カバー２０５との組み合せによって形成され、本体２０８内には、コントロールボードや電源等からなる電装部２０３も内蔵されている。
【０００６】
以上のように構成されたスキャナ２０９を、省スペースで使用するため、縦置き状態で使用する場合が増えつつある。図７、図８は、従来のスキャナ２０９を机上で、ほぼ垂直方向に立てた、縦置き使用状態の様子を示した図である。
【０００７】
図８において、スタンド２０６は、ヒンジ２０７を中心に回動可能に本体２０８に設けられている。このスキャナ２０９を縦置き状態で使用する場合、スタンド２０６をＡの位置からＢの位置にヒンジ２０７を中心に回動して、スタンド２０６によってスキャナ２０９の本体２０８が転倒しないように支えている。
【０００８】
この状態で原稿台ガラス２００の面に原稿をセットすると、縦置きして使用しても水平に置いたときと同じように、画像を読み取ることができる。
【０００９】
従来この種のスキャナにおいては、操作者が簡単に操作出来るように、読取りを開始させる時にわざわざ読取り用のアプリケーションを立ち上げずに読取りが開始できるように、スキャナの本体に読取りを開始させるためのボタン（以下スタートボタンと呼ぶ）が備えられている。
【００１０】
更に最近のスキャナでは、このスタートボタンの機能に単にアプリケーションを立ち上げ原稿を走査するだけではなく、コピー機能や読取った画像をメールソフトに自動で貼り付ける機能を設けている。そのためにスタートボタンの数は、追加する機能の数だけ増える。前記スタートボタンは、操作者が操作しやすいようにスキャナの前面に存在する。
【特許文献１】特開２０００−１５６７５６号公報
【発明の開示】
【発明が解決しようとする課題】
【００１１】
しかし、上記のように構成されたスキャナ２０９は、縦置き状態で使用する場合に、操作者がボタン操作する時、スキャナの前面に配置されているボタンを押すため、片手を添えてもう片方の手で慎重に操作しなければ不安定であるという操作性に難点があった。
【００１２】
本発明は、このような問題点に鑑みて為されたものであり、その目的とする処は、縦置き状態での画像読取装置のボタン操作を容易にするための縦置き状態に保持しておくスタンドと、このスタンド部材を備えた画像読取装置を提供することにある。
【課題を解決するための手段】
【００１３】
本発明は、下記の技術的構成により前記目的を達成できたものである。
【００１４】
原稿台ガラスの下をこれと平行に走査するイメージセンサを搭載した走査体と、走査体の移動を案内する案内手段と、該走査体を駆動する駆動源と、該駆動源の駆動力を伝達するための駆動伝達手段と、該イメージセンサと該駆動源を制御するためのコントロールボードを有し、原稿台ガラス上に載置した原稿上の画像を、走査し読み取る画像読取装置と、前記画像読取装置を縦に置いてそれを保持するための前記画像読取装置から独立したスタンド部材において、
画像読取装置とスタンド部材に電気的に接続するコネクタと、スタンド部材側にそのコネクタを通じて画像読取装置の操作が可能な少なくとも１つのボタンが搭載されていることを特徴とする画像読取装置。
【発明の効果】
【００１５】
本発明によれば、縦置き状態での画像読取装置のボタン操作を容易にするための縦置き状態に保持しておくスタンドと、このスタンド部材を備えた画像読取装置を提供することができる。
【発明を実施するための最良の形態】
【００１６】
以下本発明の実施例について、図面を参照しながら説明する。
【実施例１】
【００１７】
図１は、本発明の実施例１に係る扁平な画像読取装置であるスキャナ１のスタンド部材２を使用して、スキャナ１を縦置き使用状態とした場合の正面図であり、図２はスキャナ１の内部構成を示している。本実施例は、基本構成（原稿台ガラス、読取ユニット、駆動ユニット、駆動伝達手段）が従来例と同じであるため、本実施例特有なポイントについて以下に説明する。
【００１８】
図１において、使用者が省スペース化の目的でスキャナ１を縦置き状態で使用する場合、スキャナ１の本体３の下枠側面１ａには、着脱自在のスタンド部材２が装着されるようになっている。
【００１９】
このスタンド部材２の形状は、側面方向から見ると図３に示すように、また、斜めから見た図５に示すように２つの山なりの後方突出部、手前側の突出部である、支持部２ａ、２ｂ等から構成されている。その前端支持部２ｂの頂上部２ｆは、スキャナ１の本体３の圧板１ｂの下端の縁１ｇに添う形に斜め形成されている。なお、２つの山なりの支持部２ａ、２ｂによって本体受入部２ｇが形成されている。（図５）また、後端支持部２ａの頂上部には、スキャナ１の下枠の凹部１ｃに嵌合する凸部２ｃが形成されている。
【００２０】
ここで、スキャナ１の本体３をスタンド部材２に装着すると、後端支持部２ａの前面が後方に傾斜しているため、本体３の右端下部がスタンド部材２の前端支持部２ｂ及び後端支持部２ａで挟まれて（本体受入部２ｇに受け入れられて）支持され、原稿載置台である原稿台ガラス１ｄが垂直方向に対してやや後方倒れた状態で、かつスキャナ１の本体３の重心Ｇ（図２参照）が、スタンド部材２の前端支持部２ｂと、後端支持部２ａ及び後端２ｄとの間で、かつ後端支持部２ａに充分近い側に位置した状態で維持される。そして、スキャナ１は、スタンド部材２の前後幅（図２において左右方向の幅）と、本体３の図１において左端１ｑとの、いわば３点によって支持されている。
【００２１】
従って、スキャナ１を後方に（図２、図３において右方向に）押しても、容易にスキャナが倒れることはない。
【００２２】
また、スタンド部材２に凸部２ｃを設けて、その凸部２ｃに嵌合するようにスキャナの本体３の下枠側面１ａに凹部１ｃを設けたことと、スタンド部材２の前後幅が、スキャナ１の厚み（図２において左右方向の厚み）より広くなっていることとによって、不用意に手等を引っかける等してスキャナ１の本体３を倒す力が働いても、転倒することはない。
【００２３】
図２においてスキャナ１内部には、スタンド部材２と電気的に接続するためのコネクタ７が実装されている中継基板６がスタンド部材２と接触する近傍に配置固定されている。縦置き使用しない場合、不図示のカバーで覆われているが、縦置き使用する時カバーを外し後述するスタンド部材２側のコネクタと接続する。
【００２４】
また、この中継基板６はスキャナ１を制御するコントロールボード１４にケーブルを介して接続されている。本発明のスキャナ１も従来例と同様にスキャナ前面にスタートボタン４が配置され、そのスタートボタンを作動するためのタクトスイッチを実装してあるボタン基板１０が、前述の中継基板６と同様にコントロールボード１４にケーブルを介して接続されている。
【００２５】
図３に示すように、使用者が原稿Ｐを原稿台ガラス１ｄにセットするとき、前端支持部２ｂは、圧板１ｂの開閉に干渉しない位置に備えられているので、通常のように開閉することができる。また、圧板１ｂを開いた状態で、原稿Ｐを原稿突き当て基準１ｅに沿って原稿Ｐをセットすることができ、さらに圧板１ｂが自重で閉じることによって、原稿Ｐを原稿台ガラス１ｄに容易に密着させることが可能である。
【００２６】
更に、図３はスキャナ１とスタンド部材２の機械的な固定状態と電気的な接続状態を示している。スタンド部材２の外部表面には、スキャナ１と同様にスタートボタン５が配置されている。スタンド部材２の内部には、スキャナ１と電気的に接続するためのコネクタ９および、スタートボタン５を押すことにより動作する不図示のタクトスイッチが実装されているボタン基板８がスキャナ１と接触する近傍に配置固定されている。
【００２７】
図３のようにスキャナ１内部のコネクタ７とスタンド部材２の表面から突出しているコネクタ９が電気的に接続されているのでスタンド部材２にあるスタートボタン５の動作信号はスキャナ１内部のコントロールボード１４へ伝わる。従って、スタンド部材２にあるスタートボタン５は、スキャナ１前面にあるスタートボタン４と電気回路的に等価な機能を持つ。
【００２８】
図４は本発明の実施例１に係る画像読取装置およびスタンド部材の機能ブロック図であり、この機能ブロック図は３つのパートに分けられる。第１が読取ユニット部１５であり、第２が上述のコントロールボード１４に相当する部分であり、最後に第３がスタンド部材２である。基本的な各機能ブロックによる画像読取装置の動作は、次のようになっている。
【００２９】
外部装置（ＰＣ）からのドライバ手段、もしくはスキャナ全部あるいはスタンド部材にあるスタートボタンからの指示に基づき制御部２６が各機能ブロックを制御する。
【００３０】
制御部２６はモータ駆動手段２７と密着型イメージセンサ駆動手段１７を駆動する。そして、前記センサ駆動手段１７が不図示の３色ＬＥＤを切替え点灯しながら原稿からの反射光を光電変換し電荷蓄積する。ここで、前記センサと前記センサ駆動手段、３色ＬＥＤは一体のユニットである。前記モータ５が読取ユニット１５を副走査方向に移動させる。前記センサからの出力信号は、アンプ２１で増幅された後Ａ／Ｄ変換器２２でデジタル画像信号に変換される。
【００３１】
Ａ／Ｄ変換機２２でデジタル化された画像信号は、画像処理手段２３においてＲＡＭ２５に格納されているシェーディングデータを用いたシェーディング補正やデジタルゲイン調整、デジタル黒補正等の画像処理を施される。その後、デジタル画像信号はラインバッファ２４に格納されインターフェースを介してパーソナルコンピュータ等の外部装置へと転送される。
【００３２】
本スタンド部材２は上記のように機械的にスキャナ１を固定しているだけではなく、スタンド部材２の内部に配置されている中継基板６上のコネクタ７とスキャナ１の内部に配置されている中継基板８上のコネクタ９を電気的に接続することにより、スタンド部材２上のスタートボタン５により、スキャナ１上のスタートボタン４と等価な機能を持たせることができる。その結果、操作者は、安定したスタンド部材２上にスタートボタン５があるため、操作者は安定してボタン操作をすることができる。
【００３３】
本発明の画像読取装置と画像読取装置用のスタンド部材は、画像読取装置を縦置き状態として使用する場合でも、縦置きの姿勢を安定してボタン操作することができる。
【図面の簡単な説明】
【００３４】
【図１】本発明の実施例１に係る画像読取装置の縦置き使用状態の正面図
【図２】実施例１に係る画像読取装置の内部構成を示す図
【図３】実施例１に係る画像読取装置とスタンドの機械的な固定状態と電気的な接続状態を示す側面図
【図４】実施例１に係る画像読取装置およびスタンド部材の機能ブロック図
【図５】実施例１に係るスタンドの形状の斜視図
【図６】（ａ）、（ｂ）、（ｃ）は従来のスキャナの概略構成を示す図
【図７】従来のスキャナの縦置き使用状態の様子を示した図
【図８】従来のスキャナの縦置き使用状態の様子を示した図
【符号の説明】
【００３５】
１  スキャナ
１ａ  下枠側面
１ｂ  圧板
１ｃ  凹部
１ｄ  原稿台ガラス
１ｇ  縁
１ｑ  左端
２  スタンド部材
２ａ、２ｂ  支持部
２ｃ  凸部
２ｄ  後端
２ｆ  頂上部
２ｇ  本体受入部
３  本体
【図１】
2006165994.tif 000003
【図２】
2006165994.tif 000004
【図３】
2006165994.tif 000005
【図４】
2006165994.tif 000006
【図５】
2006165994.tif 000007
【図６】
2006165994.tif 000008
【図７】
2006165994.tif 000009
【図８】
2006165994.tif 000010